(57)【要約】【課題】十分な薄さを有する表示部を用いるにあたって、その表示部の可搬性を十分に活かし、ユーザビリティを向上させるようにする。【解決手段】底板部及び背板部を有する載置部と、当該載置部を支持する支持部とを有するスタンド部を備え、表示部の底面部を前記載置部の底板部に載置するとともに、前記表示部の背面部を前記載置部の背板部に持たれかけさせることにより、スタンド部による表示部の支持状態とし、スタンド部における支持部は、鉛直方向に伸縮可能とする。【選択図】図４
2011048398.tif 000002
【特許請求の範囲】
【請求項１】
薄型の表示部を支持するためのスタンドであって、
前記表示部の底面を挟持して保持する保持部と、当該保持部を支持する支持部とを備えることを特徴とするスタンド。
【請求項２】
前記保持部は、一対の側片部を有し、前記表示部の前記保持部への挿入時において、前記一対の側片部の開口側先端が互いに前記保持部の溝部内側に付勢されるものであることを特徴とする請求項１に記載のスタンド。
【請求項３】
前記スタンドは、スタンド支柱部とベース部を有し、
前記スタンド支柱部は前記ベース部に立設していることを特徴とする請求項１又は２に記載のスタンド。
【請求項４】
前記保持部は、前記スタンド支柱部の立設方向を軸として回動可能なことを特徴とする請求項３に記載のスタンド。
【請求項５】
前記スタンドにおける支持部は、鉛直方向に伸縮可能なことを特徴とする請求項１乃至４の何れかに記載のスタンド。
【請求項６】
請求項１乃至５の何れかに記載のスタンドと、薄型の表示部を備える薄型表示装置であって、
前記表示部を、前記保持部に当該保持部の開口側から挿嵌することにより、表示部の底面を挟持し、支持状態とすることを特徴とする薄型表示装置。
【請求項７】
前記表示部は底面に抜け防止用の係止部を有することを特徴とする請求項６記載の薄型表示装置。
【請求項８】
前記表示部は充電池を内蔵する一方、前記スタンドは電源部を有し、
前記スタンドによる表示部の支持状態において、前記表示部は、底面部が前記保持部の底部と当接することにより前記充電池に充電することを特徴とする請求項６又は７に記載の薄型表示装置。
【発明の詳細な説明】
【技術分野】
【０００１】
本発明は、薄型の表示装置に関し、ユーザビリティを向上させる技術に関する。
【背景技術】
【０００２】
近年では、テレビジョン受像機等に代表される表示装置が急速に薄型化する傾向にある。
【０００３】
例えば、有機ＥＬディスプレイは、薄さ１．４ｍｍで２４インチ程度まで開発が完了している。液晶表示装置でも、１７インチクラスで９．９ｍｍの薄さのディスプレイが量産化されている。
【０００４】
このように、ＣＲＴを表示装置として用いていたときとは異なり、表示装置を持ち運んで利用することが可能となりつつある。特許文献１に挙げられるような無線伝送技術をも利用すると、テレビジョン受像機として持ち運び可能な表示装置として使用することが可能となり、いつでもどこでも、テレビ放送を楽しめるようになってきている。
【０００５】
このように、可搬性のある表示装置のユーザビリティを向上させるべく、多くの取り組みがなされている。
【０００６】
特許文献２では、図１９に示すように、表示装置の表示部１９１の棒状金具１９３を、フロアスタンド１９２から挿抜可能とすることにより、表示部１９１の取り付け、取り外し可能とし、持ち運びを可能とすることで、表示装置の配置変換自由度を高めている。
【０００７】
特許文献３及び４では、図２０に示すように、スタンド部２０２から表示部２０１が備える挿脱部２０３を抜脱可能とすることで持ち運びを容易とするとともに、前記挿脱部２０３をスタンドとしても用いることができるようにしてユーザビリティを高めている。そして、図１９（ｃ）のように、取り付け具を用いて、柱などに表示部１９１を取り付け可能なようにもしている。
【０００８】
特許文献５では、図２１に示すように、表示部本体２１１と表示部本体２１１を支える支持部２１２とで構成される表示装置において、支持部２１２の先端に吸盤２１３を設け、表示部本体２１１の背面を吸盤で吸着することにより、表示装置本体２１１を支持する。
【０００９】
特許文献６では、図２２に示すように、表示部２２１に画像情報を送信するベース部２２２に、表示部２２１が着脱可能なように設けられ、表示部２２１をベース２２２部に装着しているときに表示部２２１のバッテリーに充電を行なうようにしている。
【００１０】
特許文献７では、帯状の受け網で、薄型の表示装置及びスピーカーを吊り下げるようにして、壁面等に吊り下げ可能としている。
【先行技術文献】
【特許文献】
【００１１】
【特許文献１】特開２００４−３３６７２５号公報
【特許文献２】特開２０００−２０６９０１号公報
【特許文献３】ＷＯ２００４／１２５８９１
【特許文献４】特開２００５−６１３４号公報
【特許文献５】特開２００３−２８０６１７号公報
【特許文献６】特開２００２−１７１４６１号公報
【特許文献７】実用新案登録第３０８９２９０号
【発明の概要】
【発明が解決しようとする課題】
【００１２】
以上のように、表示装置がポータブルに利用可能となり、種々の形態で表示装置の用い方が提案されているが、さらにシートのように薄くなった表示部を用いることが可能となりつつあることを考えると、ユーザビリティもさらに向上させることが望ましい。
【００１３】
特許文献２に記載の表示装置は、表示部１９１をフロアスタンド１９２から取り外し可能とすることによって、持ち運び可能としているが、表示部１９１の棒状金具１９３をフロアスタンドの所定の凹部に合わせて取り付け、取り外しを行なわなければならないため、煩わしさが残る。
【００１４】
特許文献３及び４に記載の表示装置も、スタンド部２０２に設けられた挿入孔２０９に合わせるようにして表示部２０１の挿脱部２０３を挿入、抜脱をするため、ユーザビリティに関してまだまだ改善の余地がある。
【００１５】
特許文献５に記載の表示装置は、スタンド部２１２の先端に吸盤２１３を設けているが、表示装置というデリケートな電気機器の取り扱いを考慮すると、より安全な構造とするような改善が期待できる。
【００１６】
特許文献６に記載の表示装置は、ベース装置２２２に載置するだけで取り付け、取り外し可能な簡単な構成であるが、ベース装置２２２の底部の形状が弓形となっているため、表示部２２１及びベース装置２２２それぞれに設けた凹凸を係合させることによって係止する必要があり、このような係合なく取り付け、取り外しができる方が好ましい。また、ベース装置２２２は回動させることができず、ベース装置２２２の高低の調節もできないため、ベース装置に表示部２２１を載置した状態で表示装置を用いる際には、ユーザビリティが高いとはいえない。
【００１７】
特許文献７に記載の表示装置では、表示部を帯状の受け網で吊り下げるようにして保持する構造であるため、取り付け、取り外しに不便である。
【００１８】
本発明は、上記のような実情に鑑み、表示装置のユーザビリティを一層高めることを目的としている。
【課題を解決するための手段】
【００１９】
上記課題を解決するため、薄型の表示部を支持するためのスタンドであって、前記表示部の底面を挟持して保持する保持部と、当該保持部を支持する支持部とを備えるスタンドを提供するようにした。
【００２０】
そして具体的には、前記保持部は、一対の側片部を有し、前記表示部の前記保持部への挿入時において、前記一対の側片部の開口側先端が互いに前記保持部の溝部内側に付勢されるものである構成とするとよい。
【００２１】
これらの構成によっても、表示部の持ち運び性を十分に活用することが可能となる。
【００２２】
そして、上記薄型表示装置と同じように、以下のような構成を採用した。
【００２３】
前記スタンドは、スタンド支柱部とベース部を有し、前記スタンド支柱部は前記ベース部に立設するようにし、前記保持部は、前記スタンド支柱部の立設方向を軸として回動可能なようにした。
【００２４】
前記保持部は、前記スタンド支柱部の立設方向を軸として回動可能なようにした。
【００２５】
前記スタンドにおける支持部は、鉛直方向に伸縮可能なようにした。
【００２６】
そして、前記スタンドと、薄型の表示部を備え、前記表示部を、前記保持部に当該保持部の開口側から挿嵌することにより、表示部の底面を挟持し、支持状態とする薄型表示装置を提供する。
【００２７】
当該薄型表示装置において、前記表示部は底面に抜け防止用の係止部を有する構成とするとよい。
【００２８】
また、前記表示部は充電池を内蔵する一方、前記スタンドは電源部を有し、前記スタンドによる表示部の支持状態において、前記表示部は、底面部が前記保持部の底部と当接することにより前記充電池に充電するようにしてもよい。
【発明の効果】
【００２９】
本発明によれば、表示装置の用途が広がり、表示部を持ち運んで様々な場所で使用する際のユーザビリティが向上する。
【図面の簡単な説明】
【００３０】
【図１】第１の実施の形態における表示装置の正面図及び側面図である。
【図２】第１の実施の形態における表示装置の外観図である。
【図３】第１の実施の形態における表示装置の外観図であり、スタンド部から表示部を取り外す際の概念を示す図である。
【図４】第１の実施の形態における表示装置の外観図であり、スタンド部のスタンド支柱部を伸長させたときを示す図である。
【図５】第１の実施の形態における表示装置の正面図、側面図及び外観図であり、前板部を有する載置部を備える表示装置を示すものである。
【図６】第１の実施の形態における表示装置の正面図、側面図及び外観図であり、他の形態の前板部を有する載置部を備える表示装置を示すものである。
【図７】第１の実施の形態における表示装置の外観図であり、通電部が載置部の背板部の前面に設けられている表示装置を示す図である。
【図８】第１の実施の形態の変形例における表示装置の外観図である。
【図９】第２の実施の形態における表示装置の外観図である。
【図１０】第２の実施の形態における表示装置の載置部の係止部、及び表示部の被係止部の様子を示す外観図である。
【図１１】第３の実施の形態における表示装置の各構成を示す外観図である。
【図１２】第３の実施の形態における表示装置の外観図である。
【図１３】第４の実施の形態における表示装置の外観図である。
【図１４】第４の実施の形態における表示装置の外観図であり、表示部の挿脱の様子を示す図である。
【図１５】第４の実施の形態における表示装置の外観図であり、表示部の挿脱の様子を示す図である。
【図１６】第５の実施の形態における表示装置の外観図である。
【図１７】第５の実施の形態における表示装置の表示部底部と保持部との関係を示す図である。
【図１８】各実施の形態における載置部の変形例を示す外観図である。
【図１９】特許文献２に記載の表示装置を示す図である。
【図２０】特許文献３に記載の表示装置を示す図である。
【図２１】特許文献５に記載の表示装置を示す図である。
【図２２】特許文献６に記載の表示装置を示す図である。
【発明を実施するための形態】
【００３１】
本実施の形態に係る表示装置を、図１に示す。ここに示す表示装置は、表示部１１をスタンド部１２に載置することで、当該スタンド部１２によって表示部１１を支持する薄型の表示装置であり、表示部１１は矩形で形成する一方で、表示部１１の厚さ（奥行き）は可能な限り薄くして形成している。
【００３２】
スタンド部１２は、表示部１１を載置する載置部１２１と、当該載置部１２１を支持する支持部１２２とから主に構成されており、載置部１２１は、表示部１１の底面部を鉛直方向で支える長方形の底板部１２１１と、表示部１１の背面部を支える背板部１２１２とを有する。支持部１２２は、スタンド支柱部１２２１及びスタンドベース部１２２２とを有し、スタンドベース部１２２２は平面と接地するような形状で形成され、スタンド支柱部１２２１が、スタンドベース部１２２２上に立設して形成されている。
【００３３】
そして、スタンド部１２は、支持部１２２におけるスタンド支柱部１２２１の先端（スタンドベース部１２２２と接続しない方の端部）が、載置部１２１における背板部１２１２の背面と、回動部１２３を介して接続されており、載置部１２１は、背板部１２１２の上端部が、回動部１２３を支点として、奥行き方向へ傾斜する方向に回動可能である（図１のＡ→Ｂ方向）。逆に、背板部１２１２が垂直な姿勢となるように、背板部１２１２の上端部を、回動部１２３を支点として、手前側に回動させることが可能である（図１のＢ→Ａ方向）。表示部１１の表示面側を前面とすると、回動方向は前後方向といえる。
【００３４】
また、載置部１２１が水平方向（Ｃ←→Ｄ方向）に回動可能なように、スタンド支柱部１２２１の回動部１２３との接続側先端部は切り込みが形成されて、前記スタンド支柱部１２２１の立設方向を軸として摺動するように回動可能な構成となっている。
【００３５】
このように、載置部１２１の上端部が回動部１２３を支点して、前後方向に回動可能であり、スタンド支柱部１２２１の立設方向（図１においては鉛直方向）を軸として水平方向に回動可能であるので、表示部１１をスタンド部１２で支持した支持状態におけるユーザビリティが向上する。
【００３６】
載置部１２１における底板部１２１１の奥行き幅は、表示部１１の底面部の奥行き幅よりも長めにとっておく必要がある。そうでないと、表示部１１を簡単に載置することができない。
【００３７】
以上のように、表示部１１とスタンド部１２とで構成される本実施形態に係る表示装置は、図２の如く載置部１２１を、上端縁側を奥行き方向へ適度に傾斜させ、表示部１１の底面部を載置部１２１の底板部１２１１に載置し、表示部１１の背面部を載置部１２１の背板部１２１２に持たれかけさせることにより、スタンド部１２による表示部１１の支持状態とする。
【００３８】
このような構成であれば、薄型の表示部１１を載置部１２１に載置するだけであるので、表示部１１の着脱の際における面倒な位置決め等の必要がなくなり、持ち運び可能な薄型の表示部をより一層活用することができる。図３に示すように、表示部１１をポンと載置するだけであるので、ユーザビリティが格段に向上する。
【００３９】
なお、載置部１２１の背板部１２１２と、底板部１２１１が、直方体の表示部１１（実際には、奥行きが非常に薄い）の載置時に丁度はまり込む形状の略Ｌ字形で接続されているので、表示部１１の載置時にぴったりとフィットし、簡単な構成での表示部の載置が可能である。
【００４０】
また、支持部１２２におけるスタンド支柱部１２２１は、図４に示すように、鉛直方向に伸縮可能である。このような構成であるので、種々の使用形態においても、適度の高さ、適度な角度で表示部１１を直視できるように表示装置を使用することが可能である。例えば、台所で表示部１１にレシピを表示させて使用する場合は、利用者は立った状態で表示部１１を見ることになるので、スタンド支柱部１２２１を伸長させて使用すると便利である。また、仕事等デスクにおいて使用する場合は、利用者は座った状態で表示部１１を見ることに場合が多いので、スタンド支柱部１２２１を縮めて使用すると便利である。
【００４１】
また、図５に示すように表示部１１をスタンド部１２に載置することにより、スタンド部１２による表示部１１の支持状態としているときに、表示部１１に内蔵される充電部に充電が行なわれるよう、表示部１１の底面部及び載置部１２１の底板部１２１１の接触面の所定個所に通電部５１が設けられる。そして、各家庭に引き入れられている商用電源よりスタンド部１２に電力を供給可能なように、電源部５２を備えている。表示部１１の底面部及び載置部１２１の底面部１２１１の接触面に設けられる通電部５１は、多少の載置のズレにも対応できるようにある程度の幅を持たせた方が好ましい。
【００４２】
そして、図５における表示装置においては、表示部１１の転落を防止するために、念のため載置部１２の背板部１２１２に対向する位置に、背板部１２１２の高さよりも低い前板部１２１３を表示部１２１２に向かって端側に設けている。端部のみに設けていれば、表示部１１を覆う部分が少なく、表示部１１の表示面の視聴に当たって邪魔になりにくいうえ、表示部１１の各種ボタンの操作をする妨げにならない。
【００４３】
なお、前板部１２１３は、図６に示すように、背板部１２１２の水平方向の幅と同程度の長さで形成されていても良い。このように、前板部１２１３の幅を長めにとれば、表示部１１の転落をより適切に防止でき、デリケートな表示部１１を安全に使用することができる。
【００４４】
上記では、通電部５１は、表示部１１の底面部及び載置部１２１の底板部１２１１の接触面の所定個所に設けられるとしたが、図７に示すように、背板部１２１２の前面及び表示部１１の背面の接触面の所定個所に設けられるようにしてもよい。この場合も、多少の載置のズレに対応できるよう、ある程度の幅を持たせて通電部５１を設けておくとよい。
【００４５】
なお、上述した構成において、載置部１２１が最初から適度な傾斜を有しているのであれば、回動部１２３を省略することが可能であり、コストダウンを図ることができる。
【００４６】
また、支持部１２２と載置部１２１との接続は、背板部１２１の背面に限らず、底板部１２１と接続してもよい。
【００４７】
本実施の形態に係る変形例を図８に示す。
【００４８】
本変形例における表示装置は、支持部１２２を、ベース部１２２２を用いずに形成している。そして、回動部１２３により支持部１２２と載置部１２１の背板部とを所定角度に調節することによって、平地面において載置部１２１を支持部１２２によって支持するようにしている。
【００４９】
本変形例においても、図５及び図６で示したような前板部１２１３を設けていれば、上記と同様の効果が得られる。
【００５０】
＜第２の実施の形態＞
続いて、第２の実施の形態について説明する。
【００５１】
本実施の形態については、第１の実施の形態における底板部１２１１、前板部１２１３を用いず、背板部１２１２のみを備える。本実施形態ではこの背板部１２１２を、基板部９１とする。
【００５２】
この基板部９１には、２つの突起部９２が設けられており、表示部１１の鉛直方向上方には２つの貫通孔９３が設けられている。
【００５３】
そして、表示部１１に設けられた２つの貫通孔９３を、基板部９１の２つの突起部９２それぞれに貫通させて係合することにより、図９（ａ）に示す如く、スタンド部１２による表示部１１の支持状態とする。
【００５４】
突起部９２の鉛直方向上縁部、及び表示部１１の貫通孔９３の鉛直方向上側内縁それぞれには、スタンド部１２による表示部１１の支持状態において表示部１１の内部に備える充電池に充電可能なように、通電部１０１が設けられている（図１０）。
【００５５】
このような構造であれば、スタンド部１２による表示部１１の支持状態において表示部１１の内部に備わる充電池に効率よく充電を行なうことが可能となり、実施の形態１と同様の効果が得られる。
【００５６】
なお、通電部１０１は、図７に示したように基板部１２１２の前面及び表示部１１の背面の接触面の所定個所に設けられるようにしてもよい。
【００５７】
上記の貫通孔９３は、突起部９２に対して、大きめに形成していれば、表示部１１を基板９１に容易に装着できるため好ましい。その貫通孔の形状は、鉛直方向又は水平方向に偏平な楕円形状等であってもよい。
【００５８】
本実施の形態に係る突起部９２は、図９の構成では円柱状としているが、四角柱や三角柱等の形状としていてもよい。また、突起の先端が鉛直方向上側に向いていてもよく、この場合は、表示部１１の取り付け時に多少煩わしくなるが、表示部１１の離脱がしにくくなるという点で有利である。
【００５９】
さらに、奥行きが１ｃｍ程度の厚みを有する表示部１１を使用する場合は、突起部９２をＬ字型などで形成し、表示部１１の背面にそれと係合する凹部を形成して係合するようにして、表示部１１を貫通しないような係合部を設けるようにしてもよい。
【００６０】
＜第３の実施の形態＞
本実施の形態を図１１及び図１２を用いて説明する。
【００６１】
本実施の形態においては、第１の実施の形態におけるスタンド部１２において、支持部１２２を備えていない。よって、スタンド部１２による表示部１１の支持状態とするとすることはできず、表示部１１を載置できるのみである。このような構成としたのは、載置部１２１を壁面に装着することにより、表示装置を壁掛けにして使用することを目的としているためである。
【００６２】
具体的には、本実施の形態に係る表示装置は、表示部１１と、載置部１１１とを備える。載置部１１１は、表示部１１の底面部を鉛直方向で支える長方形の底板部１１１１と、表示部１１の背面部を支える基板部１１１２とを有し、基板部１１１２は、貫通孔１１０を有する。
【００６３】
そして、載置部１１１における貫通孔１１０を、壁面から突出した突起等に貫通させることにより係合させて、載置部１１１を釣支状態とすることができる。そして、釣支状態とした載置部１１１に対して、表示部１１の底面部を載置部１１１の底板部１１１１に載置し、表示部１１の背面部を載置部１１１の基板部１１１２に持たれかけさせることにより、載置部１１１による表示部１１の支持状態とすることができ、図１２に示す如く壁掛け表示装置として利用できる。
【００６４】
なお、壁掛け状態で、基板部１１１２と壁面が平行である場合は、表示部１１が載置部１１１から離脱しやすくなってしまうため、載置部１１１における基板部１１１２が、鉛直方向下側にかけて奥行きが大きくなる構造としておくと、壁掛け表示装置として使用した場合であっても、載置部１１１による表示部１１の支持状態において、表示部１１の表示面がやや仰角を有した状態で載置されるので、載置部１１１から表示部１１が離脱しにくくなる。
【００６５】
または、第１の実施の形態における図５及び図６に示したように前板部を備えていれば、壁掛け表示装置として使用した場合であっても、安全に使用できる。
【００６６】
また、第１の実施の形態と同様、載置部１１１が電源部を有し、載置部１１１による表示部１１の支持状態において、通電部を通じて表示部１１の内臓充電池に充電が可能な構造としておくことが好ましい。
【００６７】
上述の例では、載置部１１１がスタンド部１２を備えない例を示したが、図８に示した第１の実施の形態の変形例のようにベース部を有しないスタンド部１２を備えるようにして、表示部１１をスタンド部１２で支持する第１の使用形態と、壁掛けとして支持する第２の使用形態とを有する構成とするようにしてもよい。
【００６８】
＜第４の実施の形態＞
続いて、第４の実施の形態について図１３乃至図１５を用いて説明する。
【００６９】
図１４に示すように、本実施の形態に係る表示装置において、スタンド部１２は、第１の実施の形態のように底板部１４１と背板部１４２とを有し、さらに一対の側板部１４３を有する。
【００７０】
側板部１４３は、表示部１１の幅の長さ間隔程度を空けて一対にして、底板部１４１と垂直となるように立設している。そして、側板部１４３のそれぞれには、表示部１１の側面と嵌合する形状の凹型の溝部１４４が設けられており、図１３に示すように、この溝部１４４に合わせるようにして表示部１１を鉛直方向下側に挿嵌することで、表示部１１を載置部１４に装着し、スタンド部１２による表示部１１の支持状態とされる。
【００７１】
この側板部１４３における溝部１４４は表示部１１の載置部１４への挿入方向を案内するように表示部１１の挿入方向を規制する。表示部１１の側面に凸部を設けて挿入方向が規制されるようにしてもよく、表示部１１の側面と、側板部１４３の凹部、凸部が逆であってもよい。
【００７２】
なお、図１５に示すように、載置部１４の背板部１４２を排止することも可能である。また、側板部１４３の鉛直方向高さは、表示部１１を支持可能な程度の高さを有していれば、その高さは、表示部１１の高さと同等である必要はない。
【００７３】
また、スタンド部１２のスタンド支柱部１２２１の長さが調節でき、載置部１４１が回動部を支点として回動可能であることは、第１の実施の形態と同様である。
【００７４】
また、第１の実施の形態と同様、スタンド部１２による表示部１１の支持状態において通電部を通じて表示部１１の内臓充電池に充電が可能な構造とすることが好ましい。
【００７５】
＜第５の実施の形態＞
次に、第５の実施の形態について図１６及び図１７を用いて説明する。
【００７６】
本実施の形態に係る表示装置のスタンド部１２は、第１の実施形態における載置部１２１の代わりに、表示部１１の底部を挟持することにより表示部１１を保持する保持部１６１を設けている。
【００７７】
保持部１６１は、図１７（ａ）に示すように、２つの側片部１７１によって凹型に形成された溝部１７２を有しており、鉛直方向上側に開口部１７３を有している。そして、溝部１７２の両側片部間は表示部１１の奥行き（厚み）長さよりやや大きめの間隔を有しており、開口部１７３に表示部１１の底面側から挿嵌すると、側片部１７１が内側方向（溝側方向）に付勢されつつ、表示部１１の底部付近が摺動しながら溝部１７２の奥まで差し込まれる。これにより、保持部１６１による表示部１１の支持状態となる。
【００７８】
上記保持部１６１は、図１７（ｂ）に示すように、片方の一側片部１７１が回動部１７３によって、溝の内側方向に付勢されており、当該片側の一側片部１７１の先端に形成されている係止部１７４と、表示部１１に形成されている被係止部１７５とが係止することによって、表示部１１を保持部１６１の開口部１７２に挿嵌したときに、保持部１６１による表示部１１の支持状態とする等、表示部１１の挟持に関して、種々の変形が可能である。
【００７９】
また、第１の実施の形態と同様、表示部１１の底面部と、保持部１６１の内側底縁部に通電部を設けることにより、保持部１６１による表示部１１の支持状態において表示部１１の内臓充電池に充電が可能としておくことが好ましい。
【００８０】
また、図４におけるスタンド部１２と同じように、スタンド部１２におけるスタンド支柱部１２２１の高さを調節できる構成としておくと便利である。
【００８１】
以上、十分な薄さを有する表示部を用いるにあたって、その表示部の可搬性を十分に活かすことができ、ユーザビリティを向上させることができるような表示装置の構成を複数の実施の形態を用いて説明した。
【００８２】
なお、各実施の形態において、多少の変形は考慮されるべきである。例えば、第１の実施の形態において、底板部１２１１が背板部１２１２と同じ幅で形成されている必要はなく、２本の板部で表示部１１の底面を支えるようなものでもよい。
【００８３】
他に、図１１に示した壁掛けとして利用する表示装置における、載置部１１１において、挿入方向案内部を有した側板部を備えるようにした構成なども考えられる。
【００８４】
以下、本実施の形態に関連する発明を付記する。
本発明は、薄型の表示部をスタンド部に載置することで、当該スタンド部によって前記表示部を支持する薄型表示装置であって、前記スタンド部は、底板部及び背板部を有する載置部と、当該載置部を支持する支持部とを備え、前記表示部の底面部を前記載置部の底板部に載置するとともに、前記表示部の背面部を前記載置部の背板部に持たれかけさせることにより、前記スタンド部による表示部の支持状態とし、前記スタンド部における支持部を、鉛直方向に伸縮可能とした薄型表示装置を提供する。
【００８５】
このような構成であれば、表示部の可搬性を十分に活用することができるとともに、スタンド部による表示部の支持状態においても様々なシーンで適切な使用が可能である。
【００８６】
そして、上記薄型表示装置において、前記支持部は、前記載置部と回動部を介して接続され、前記載置部は、前記背板部の上端辺が前記回動部を支点として前後方向に回動可能なようにした。
また、前記スタンド部は、スタンド支柱部とベース部を有し、前記スタンド支柱部は前記ベース部に立設する構成とし、前記載置部は、前記スタンド支柱部の立設方向を軸として回動可能なようにした。
【００８７】
これらの構成によれば、スタンド部による表示部の支持状態において、より利用しやすくなる。
【００８８】
また、前記載置部には、前記背板部と対向する位置に前板部が設けられている構成を採用した。
【００８９】
このような構成であると、デリケートな表示部を安全に利用することができる。
【００９０】
また、前記表示部は充電池を内蔵する一方、前記スタンド部は電源部を有し、前記スタンド部による表示部の支持状態において、前記表示部は、底面部又は背面部が、前記載置部の前記底板部又は背板部と当接することにより前記充電池に充電するようにした。
【００９１】
これによれば、スタンド部による表示部の支持状態において表示部を利用している最中でも充電することができ、効率的に表示部に充電することが可能となり、持ち運び性の向上に寄与する。
【００９２】
また、薄型の表示部を装着することで支持するためのスタンドであって、前記スタンドは、底板部と側板部を有する載置部と、当該載置部を支持する支持部とを備え、前記表示部を、前記側板部に形成された装着方向案内部に沿って前記載置部に装着した場合に前記表示部を支持状態とし、当該表示部の支持状態において、前記表示部の上面側及び表示面側が開放状態にあるスタンドを提案する。
【００９３】
そして具体的に、前記装着方向案内部は、前記表示部の側面部の長手方向に対して凹又は凸型の溝が形成するとよい。
【００９４】
また前記載置部は、さらに背板部を備えるようにしてもよい。
【００９５】
これらの構成によっても、表示部の持ち運び性を十分に活用することが可能となる。
【００９６】
そして、上記薄型表示装置と同じように、以下のような構成を採用した。
【００９７】
前記支持部は、前記載置部と回動部を介して接続され、前記載置部は、前記側板部の上端辺が前記回動部を支点として前後方向に回動可能なようにした。
【００９８】
前記スタンドは、スタンド支柱部とベース部を有し、前記スタンド支柱部は前記ベース部に立設するようにした。
【００９９】
前記載置部は、前記スタンド支柱部の立設方向を軸として回動可能なようにした。
【０１００】
前記載置部には、前記背板部と対向するように前板部が設けられているようにした。
【０１０１】
前記スタンドにおける支持部は、鉛直方向に伸縮可能なようにした。
【０１０２】
そして、上記スタンドと、薄型の表示部を備えるようにし、前記表示部を、前記側板部に形成された装着方向案内部に沿って前記載置部に装着することにより前記表示部の支持状態とする薄型表示装置を提供する。
【０１０３】
当該液晶表示装置において、前記表示部は充電池を内蔵する一方、前記スタンドは電源部を有し、前記スタンドによる表示部の支持状態において、前記表示部は、底面部が、前記載置部の前記底板部と当接することにより前記充電池に充電するようにすればよい。
【産業上の利用可能性】
【０１０４】
有機ＥＬディスプレイ等の薄型の表示装置に利用可能である。
【符号の説明】
【０１０５】
１１  表示部
１２  スタンド部
１２１  載置部
１２１１  底板部
１２１２  背板部
１２１３  前板部
１２２  支持部
１２２１  スタンド支柱部
１２２２  スタンドベース部
５１  通電部
５２  電源部
９１  基板部
９２  突起部
９３  貫通孔
１６１  保持部
１７１  側片部
【図１】
2011048398.tif 000003
【図２】
2011048398.tif 000004
【図３】
2011048398.tif 000005
【図４】
2011048398.tif 000006
【図５】
2011048398.tif 000007
【図６】
2011048398.tif 000008
【図７】
2011048398.tif 000009
【図８】
2011048398.tif 000010
【図９】
2011048398.tif 000011
【図１０】
2011048398.tif 000012
【図１１】
2011048398.tif 000013
【図１２】
2011048398.tif 000014
【図１３】
2011048398.tif 000015
【図１４】
2011048398.tif 000016
【図１５】
2011048398.tif 000017
【図１６】
2011048398.tif 000018
【図１７】
2011048398.tif 000019
【図１８】
2011048398.tif 000020
【図１９】
2011048398.tif 000021
【図２０】
2011048398.tif 000022
【図２１】
2011048398.tif 000023
【図２２】
2011048398.tif 000024